(57)【要約】【課題】介護施設等の浴室での使用に好適なカートを提供する。【解決手段】カート１は、上下方向に延びるとともに下端部に走行手段１０を有する支柱１１と、支柱１１に支持されて物品が載せられる複数の載置部１２〜１４と、を備える。複数の載置部１２〜１４には、第１の載置部１２と、第１の載置部１２の一段下に配置される第２の載置部１３と、が含まれ、上下方向に沿って見た場合に、第２の載置部１３は、形状及びサイズのうちの少なくともいずれか一方が第１の載置部１２と異なることにより、第１の載置部１２からはみ出た領域Ｒを有する。【選択図】図１
2014141141.tif 000002
【特許請求の範囲】
【請求項１】
上下方向に延びるとともに下端部に走行手段を有する支柱と、
前記支柱に支持されて物品が載せられる載置部と、
を備えるカートであって、
前記載置部は、前記上下方向に並ぶように複数設けられ、
前記複数の載置部には、第１の載置部と、前記第１の載置部の一段下に配置される第２の載置部と、が含まれ、
前記上下方向に沿って見た場合に、前記第２の載置部は、形状及びサイズのうちの少なくともいずれか一方が前記第１の載置部と異なることにより、前記第１の載置部からはみ出た領域を有することを特徴とするカート。
【請求項２】
前記第２の載置部上の空間を複数の空間に仕切った状態と、仕切っていない状態とに切り替え可能な仕切り手段を更に備えることを特徴とする請求項１に記載のカート。
【請求項３】
前記仕切り手段は、前記第２の載置部の前記はみ出た領域上の空間と、前記はみ出た領域でない領域上の空間とを仕切ることを特徴とする請求項２に記載のカート。
【請求項４】
前記仕切り手段は、着脱可能な板状部材で構成されていることを特徴とする請求項２又は３に記載のカート。
【請求項５】
前記載置部に載置される専用の容器を更に備え、
前記複数の載置部の中には、前記専用の容器が有する容器側係合部と係合して、載置された前記専用の容器を一定位置に保持したまま傾け可能とする載置部側係合部を備える載置部が含まれていることを特徴とする請求項１から４のいずれかに記載のカート。
【請求項６】
前記載置部側係合部を備える載置部は、前記第２の載置部の下に配置される第３の載置部であることを特徴とする請求項５に記載のカート。
【請求項７】
前記上下方向に沿って見た場合に、前記第１の載置部は四角形状であり、前記第２の載置部は六角形状であることを特徴とする請求項１から６のいずれかに記載のカート。
【請求項８】
前記上下方向に沿って見た場合に、前記第１の載置部は四角形状であり、前記第２の載置部及び前記第３の載置部は六角形状であることを特徴とする請求項６に記載のカート。
【請求項９】
前記複数の載置部は、前記上下方向に３つ並び、
前記複数の載置部には、前記第１の載置部と、前記第２の載置部と、前記第２の載置部の一段下に配置される第３の載置部とが含まれ、
前記上下方向に沿って見た場合に、前記第１の載置部は四角形状であり、前記第２の載置部と前記第３の載置部とは六角形状であることを特徴とする請求項１に記載のカート。
【請求項１０】
前記第２の載置部のはみ出た領域上の空間と、前記はみ出た領域でない領域上の空間とを、仕切った状態と、仕切っていない状態とに切り替え可能な仕切り手段を更に備えることを特徴とする請求項９に記載のカート。
【請求項１１】
前記第３の載置部に載置される専用の容器を更に備え、
前記第３の載置部には、前記専用の容器が有する容器側係合部と係合して、載置された前記専用の容器を一定位置に保持したまま傾け可能とする載置部側係合部が設けられていることを特徴とする請求項９又は１０に記載のカート。
【発明の詳細な説明】
【技術分野】
【０００１】
本発明は、物品の運搬を可能とするカートに関し、特に、介護施設等の浴室での使用に好適なカートに関する。
【背景技術】
【０００２】
従来、物品の運搬を可能とする様々なタイプのカートが提案されている。例えば、上下方向に延びるとともに下端部にキャスターを有する４本の支柱と、該４本の支柱に支えられ、前記上下方向に並ぶように複数配置される棚（或いはカゴ）と、を備えるカート（ワゴン）が知られている（例えば、特許文献１や２参照）。
【先行技術文献】
【特許文献】
【０００３】
【特許文献１】特許第２６３６８９３号公報
【特許文献２】登録実用新案第３０２６２３３号公報
【発明の概要】
【発明が解決しようとする課題】
【０００４】
ところで、例えば介護施設等においては、浴室に物品（例えばシャンプー、タオル、ゴミ箱等）を運搬するためにカートが使用される。このような目的でカートが使用される場合、例えば、運搬される物品の種類が多くなり易いこと等もあって、カートは、物品の置き方の自由度が高く設けられていると便利である。
【０００５】
また、運搬される物品の中には、例えばタオル等、使用前のもの（乾いたタオル）と使用後のもの（濡れたタオル）とが含まれることがあり、カートは、これらが分けて運搬できるように設けられていると便利である。更に、浴室での使用の場合、カート上の物品が濡れてしまい易いが、濡らしたくない物品もあり、カートは、このような物品が濡れ難く設けられていると便利である。
【０００６】
以上の点に鑑みて、本発明の目的は、介護施設等の浴室での使用に好適なカートを提供することである。
【課題を解決するための手段】
【０００７】
上記目的を達成するために本発明のカートは、上下方向に延びるとともに下端部に走行手段を有する支柱と、前記支柱に支持されて物品が載せられる載置部と、を備えるカートであって、前記載置部は、前記上下方向に並ぶように複数設けられ、前記複数の載置部には、第１の載置部と、前記第１の載置部の一段下に配置される第２の載置部と、が含まれ、前記上下方向に沿って見た場合に、前記第２の載置部は、形状及びサイズのうちの少なくともいずれか一方が前記第１の載置部と異なることにより、前記第１の載置部からはみ出た領域を有する構成（第１の構成）になっている。なお、載置部は、例えば、単なる板状のものでもよいし、箱（かご）状のものでも構わない。
【０００８】
本構成のカートが有するはみ出た領域においては、上段の載置部に邪魔されることなく物品を置くことができる。このために、本構成のカートは、物品を配置し易く、物品を配置する際の自由度が大きくなる。
【０００９】
上記第１の構成のカートは、前記第２の載置部上の空間を複数の空間に仕切った状態と、仕切っていない状態とに切り替え可能な仕切り手段を更に備える構成（第２の構成）であるのが好ましい。本構成によれば、仕切り手段によって水がかかり難い空間（スペース）を確保することが可能である。一方で、仕切りは、不要な場合には使用しないこともできるため、物品の配置の仕方における自由度の大きさは確保されている。
【００１０】
上記第２の構成のカートにおいて、前記仕切り手段は、前記第２の載置部の前記はみ出た領域上の空間と、前記はみ出た領域でない領域上の空間とを仕切る構成（第３の構成）であるのが好ましい。本構成によれば、仕切り手段の構造を単純なものとし易い。
【００１１】
上記第２又は第３の構成のカートにおいて、前記仕切り手段は、着脱可能な板状部材で構成されてよい（第４の構成）。
【００１２】
上記第１から第４のいずれかの構成のカートは、前記載置部に載置される専用の容器を更に備え、前記複数の載置部の中には、前記専用の容器が有する容器側係合部と係合して、載置された前記専用の容器を一定位置に保持したまま傾け可能とする載置部側係合部を備える載置部が含まれている構成（第５の構成）であるのが好ましい。本構成によれば、傾けるだけで、例えば使用済みのタオル等の物品を入れることができるとともに、持ち運び（容器単独での持ち運び）も容易な専用の容器を配置可能であるために、非常に使い勝手の良いカートを提供できる。
【００１３】
上記第５の構成のカートにおいて、前記載置部側係合部を備える載置部は、前記第２の載置部の下に配置される第３の載置部である構成（第６の構成）であってもよい。この構成においては、第２の載置部と第３の載置部との間には、別の載置部が挟まれてもよい。
【００１４】
上記第１から第６のいずれかの構成のカートにおいては、前記上下方向に沿って見た場合に、前記第１の載置部は四角形状であり、前記第２の載置部は六角形状である構成（第７の構成）が採用されてよい。また、上記第６の構成においては、前記上下方向に沿って見た場合に、前記第１の載置部は四角形状であり、前記第２の載置部及び前記第３の載置部は六角形状である構成（第８の構成）が採用されてよい。これらの構成では、例えば、専用の容器の使い勝手が良くなることやカートの安定性が良くなること等が期待できる。
【００１５】
上記第１の構成のカートにおいて、前記複数の載置部は、前記上下方向に３つ並び、前記複数の載置部には、前記第１の載置部と、前記第２の載置部と、前記第２の載置部の一段下に配置される第３の載置部とが含まれ、前記上下方向に沿って見た場合に、前記第１の載置部は四角形状であり、前記第２の載置部と前記第３の載置部とは六角形状である構成（第９の構成）が採用されてよい。
【００１６】
上記第９の構成のカートは、前記第２の載置部のはみ出た領域上の空間と、前記はみ出た領域でない領域上の空間とを、仕切った状態と、仕切っていない状態とに切り替え可能な仕切り手段を更に備える構成（第１０の構成）であるのが好ましい。
【００１７】
上記第９又は第１０の構成のカートは、前記第３の載置部に載置される専用の容器を更に備え、前記第３の載置部には、前記専用の容器が有する容器側係合部と係合して、載置された前記専用の容器を一定位置に保持したまま傾け可能とする載置部側係合部が設けられている構成（第１１の構成）が採用されるのが好ましい。
【発明の効果】
【００１８】
本発明によれば、介護施設等の浴室での使用に好適なカートを提供できる。
【図面の簡単な説明】
【００１９】
【図１】本発明の実施形態に係るカートの概略構成を示す斜視図
【図２】本発明の実施形態に係るカートの概略構成を示す上面図
【図３】図１における破線Ａで囲まれた部分を拡大して示した概略図
【図４】本発明の実施形態に係るカートが備える、第１の載置部の高さを調節する機構について説明するための図
【図５】本発明の実施形態に係るカートの構成を示す概略斜視図で、仕切り板が取り付けられた状態を示す図
【図６】本発明の実施形態に係るカートの第３の載置部に専用のボックスが載せられた状態を示す図
【図７】図６に示す状態から、専用のボックスが傾けられた状態を示す図
【図８】図７に示す構成の一部分の断面を簡略化して示した図
【図９】本発明の実施形態に係るカートの第３の載置部における、専用ボックスの置き方について説明するための図
【図１０】本発明の実施形態に係るカートが備える仕切り手段の変形例を説明するための概略断面図
【図１１】本発明の実施形態に係るカートが備える専用ボックスの変形例を説明するための示す図
【発明を実施するための形態】
【００２０】
以下、本発明の実施形態に係るカートについて、図面を参照しながら詳細に説明する。
【００２１】
図１は、本発明の実施形態に係るカート１の概略構成を示す斜視図である。図１に示すように、カート１は、上下方向に延びるとともに下端部にキャスター１０（本発明の走行手段の一例）を有する支柱１１を６本備えている。なお、カート１が備える複数のキャスター１０のうちの少なくとも一つには、車輪が回転可能な状態と回転不能な状態とを切り替え可能なロック機構１０ａが設けられるのが好ましいが、場合によっては、このようなロック機構１０ａは全く設けられなくてもよい。
【００２２】
複数の支柱１１によって、物品を載せるために使用される３つの載置部１２〜１４が支持されている。３つの載置部１２〜１４は上下方向に並んでおり、それらの載置面１２ａ〜１４ａは、いずれも支柱１１と略直交する関係になっている。上段に配置される第１の載置部１２は、上下方向に沿って見た場合に四角形状（詳細には長方形状）であり、４つの頂点部分（四隅）が支柱１１によって支持されている。
【００２３】
また、中段に配置される第２の載置部１３、及び、下段に配置される第３の載置部１４は、いずれも、上下方向に沿って見た場合に六角形状（詳細には正六角形状）になっている。また、第２の載置部１３及び第３の載置部１４は、上下方向に沿って見た場合に、各頂点部分が重なるように配置されている。第２の載置部１３及び第３の載置部１４は、いずれも、６つの頂点部分が支柱１１によって支持されている。第２の載置部１３及び第３の載置部１４は、同一サイズでも、サイズが異なっても良いが、本実施形態では、第３の載置部１４の方が第２の載置部１３よりも若干大きくなっている。
【００２４】
なお、本実施形態では、第１の載置部１２は箱形状、第２の載置部１３及び第３の載置部１４は板状に構成されている。ただし、これは一例に過ぎず、第１〜第３の載置部１２〜１４は、いずれも、箱形状であっても板状であってもよく、これらの構成は適宜変更してよい。また、第２の載置部１３の上側の空間には、第２の載置部１３の周囲を取り囲むように柵１５が設けられているが、このような柵１５は必ずしも設けられなくてもよい。柵１５は、剛性が高い部材で構成されてもよいし、剛性が低い部材で構成されてもよい。また、場合によっては、第３の載置部１４の上側の空間に同様の柵が設けられてもよい。
【００２５】
図２は、本発明の実施形態に係るカート１の概略構成を示す上面図である。図２からわかるように、上下方向に沿って見た場合に、第２の載置部１３及び第３の載置部１４の６つの頂点部分のうちの４つの頂点部分は、第１の載置部１２の４つの頂点部分と略一致した位置にある。また、第２の載置部１３及び第３の載置部１４の６つの頂点部分のうちの残りの２つの頂点部分（対向配置されている）は、第１の載置部１２と重なることなく、外側に配置されている。すなわち、第２の載置部１３及び第３の載置部１４は、上下方向に沿って見た場合に、第１の載置部１２より大きく、第１の載置部１２からはみ出た領域Ｒを有する。
【００２６】
なお、カート１はこのような構造であるために、支柱１１の共有化が図れ、支柱１１の数が徒に増加するのが抑制されている。また、第１の載置部１２を支持する必要のない２本の支柱１１は、他の支柱１１に比べて長さが短くなっている。これにより、カート１の使用者は、支柱１１によって、物品を載置する際の動作を不必要に妨げられることがない。
【００２７】
また、カート１は、使用者の利便性を考慮して、第１の載置部１２の高さ調節が可能に設けられている。高さ調節を可能とする構成（機構）の一例について、図３及び図４を参照して、簡単に説明しておく。なお、図３は、図１における破線Ａで囲まれた部分を拡大して示した概略図である。図４は、本発明の実施形態に係るカート１が備える、第１の載置部１２の高さを調節する機構について説明するための図である。
【００２８】
図３に示されるように、第１の載置部１２を支持する４本の支柱１１は、いずれも、固定支柱１１１と、固定支柱１１１にスライド可能に挿入されたスライド支柱１１２と、を備える。スライド支柱１１２は、固定支柱１１１に挿入されない側の端部が、第１の載置部１２に固定された状態になっている。固定支柱１１１の上部には、概ねドーナツ型の調節リング１１３が固定支柱１１１に対して回転可能に配置されている。調節リング１１３の外径は固定支柱１１１の外径と略同一である。
【００２９】
スライド支柱１１２には、その長手方向に沿って溝部１１２ａが形成されている。また、スライド支柱１１２には、長手方向の所定間隔於きに、溝部１１２ａと繋がる切り込み部１１２ｂが設けられている。切り込み部１１２ｂの切り込み方向は、スライド支柱１１２の長手方向と略直交する方向である。ドーナツ型の調節リング１１３には、その内面から当該内面と略直交する方向に突出する凸部１１３ａが設けられている（図４参照）。
【００３０】
第１の載置部１２を上下させる場合には、図４（ａ）に示すように、調節リング１１３（４つある）の凸部１１３ａがスライド支柱１１２（４つある）の溝部１１２ａに嵌め込まれた状態とする。第１の載置部１２を所望の高さで固定する場合には、スライド支柱１１２の所望の切り込み部１１２ｂの高さが、調節リング１１３の凸部１１３ａの高さに合せられる（図４（ｂ）の状態とする）。この状態で、調節リング１１３を回転（図４において左回転）して、凸部１１３ａが切り込み部１１２ｂに嵌り込んだ状態とする（図４（ｃ）の状態とする）。これにより、第１の載置部１２が所望の高さで固定される。切り込み部１１２ｂには、突起１１２ｃが設けられているために、切り込み部１１２ｂに嵌り込んだ凸部１１３ａは、切り込み部１１２ｂから簡単に抜け難い。
【００３１】
なお、第１の載置部１２の高さを調節する機構の構成は、適宜変更して構わない。ただし、本実施形態のように構成すると、高さ調節機構の構成要素が外部に向けて出っ張った構成になり難いために（例えば高さ調整のために調整ノブを使用する場合等には出っ張った構成となり易い）、カート１の使用者が怪我をする可能性を抑制し易い。また、第１の載置部１２の高さを調節する機構は、場合によっては設けなくてもよい。
【００３２】
図１及び図２に戻って、第１の載置部１２の載置面１２ａには、細長い形状の２つの貫通孔１２１ａ、１２１ｂが設けられている。２つの貫通孔１２１ａ、１２１ｂは、それぞれ、載置面１２ａの外周寄りに設けられ、より詳細には、載置面１２ａの長辺に沿うように設けられている。２つの貫通孔１２１ａ、１２１ｂの長手方向の長さは長辺よりも若干短くなっている。
【００３３】
また、第２の載置部１３の載置面１３ａには、細長い形状の２つの溝１３１ａ、１３１ｂが設けられている。溝１３１ａは貫通孔１２１ａのほぼ真下に設けられ、溝１３１ｂは貫通孔１２１ｂのほぼ真下に設けられている。平面視した場合において、２つの貫通孔１２１ａ、１２１ｂと、２つの溝１３１ａ、１３１ｂのサイズは、ほぼ同じである。
【００３４】
これらの貫通孔１２１ａ、１２１ｂ及び溝１３１ａ、１３１ｂの存在により、カート１には、図５に示すように、第２の載置部１３上の空間を複数の空間に仕切る仕切り板１６（２つある）を着脱可能に取り付けることができる。仕切り板１６は、より詳細には、上述のはみ出た領域Ｒ（図２参照）上の空間と、当該はみ出た領域Ｒでない領域との間を仕切っている。仕切り板１６は、例えば金属製や樹脂製の板等とできる。
【００３５】
２つある仕切り板１６は、それぞれ、貫通孔１２１ａ（又は貫通孔１２１ｂ）を挿通するとともに、その下端部が溝１３１ａ（又は溝１３１ｂ）に嵌め込まれている。貫通孔１２１ａ、１２１ｂ及び溝１３１ａ、１３１ｂのサイズは、この仕切り板１６のサイズに合わせて設計されている。なお、仕切り板１６は、本発明の仕切り手段の一例である。また、仕切り板１６は、第１の載置部１２の高さ調節が可能であることを考慮して、複数種類設けられる構成であっても構わない。
【００３６】
図６は、本発明の実施形態に係るカート１の第３の載置部１４に、当該カート１専用のボックス１７が載せられた状態を示す図である。図６は、一例として、外形が略直方体形状の専用ボックス１７が、第３の載置部１４に２つ載せられた状態を示している。専用ボックス１７には把持部１７ａが設けられている。なお、この把持部１７ａは設けられなくても構わない。また、専用ボックス１７には蓋部が設けられても構わないし、設けられなくても構わない。
【００３７】
第３の載置部１４に載せられた専用ボックス１７は、図７に示すように、第３の載置部１４の載置面１４ａ上の一定位置に保持されたままの状態で傾けることができる。また、専用ボックス１７は、傾けた際に第３の載置部１４から簡単に脱落しないようになっている。これについて、図８を参照しながら説明する。なお、図８は、図７に示す構成の一部分の断面を簡略化して示した図である。図８における破線部は、理解を容易とするための図で、傾けられていない状態の専用ボックス１７を示している。
【００３８】
図８に示すように、専用ボックス１７の下面の一端部寄りには、断面視略半円状の凸部１７ｂが形成されている。また、図１及び図８に示すように、六角形状に構成される第３の載置部１４の外周寄りには、各辺に沿って細長い溝１４１（合計６つ）が設けられている。この溝１４１は、断面視略半円状になっている。
【００３９】
専用ボックス１７は、凸部１７ｂが第３の載置部１４に設けられる溝１４１に嵌め込まれるようにして第３の載置部１４に搭載されている。傾けられていない状態において、専用ボックス１７は、上段の第２の載置部１３に当接することなく、第２の載置部１３とは適度な距離を有している。専用ボックス１７は、凸部１７ｂが溝１４１に嵌め込まれた状態のまま傾けることができる。凸部１７ｂが溝１４１に嵌め込まれた状態で傾けられるために、専用ボックス１７は、傾けられても、第３の載置部１４上の一定位置からずれることなく保持される。
【００４０】
また、専用ボックス１７は、カート１から突出するように或る程度傾けられた段階で、上部の一端側が第２の載置部１３の下面に当接するようになっている。このために、専用ボックス１７を傾ける際に、傾ける量が大きくなり過ぎて、専用ボックス１７が倒れて第３の載置部１４から脱落してしまうという事態が生じ難い。一方で、専用ボックス１７は、単に第３の載置部１４に載せられているだけであるために、例えば上下方向に持ち上げた後に略水平移動するだけで、簡単に第３の載置部１４から取り外して持ち運ぶことができる。
【００４１】
なお、専用ボックス１７は、本発明の専用の容器の一例である。また、専用ボックス１７に設けられる凸部１７ｂは、本発明の容器側係合部の一例である。また、第３の載置部１４に設けられる溝１４１は、本発明の載置部側係合部の一例である。
【００４２】
また、本実施形態においては、専用ボックス１７に凸部１７ｂを設け、第３の載置部１４に溝１４１（凹部）を設ける構成としているが、これとは逆に、専用ボックス１７に凹部を設け、第３の載置部１４に凸部を設ける構成としてもよい。
【００４３】
次に、以上のようの構成されるカート１の作用効果について説明する。
【００４４】
本実施形態のカート１は、上段の載置部１２に比べて、中段及び下段の載置部１３、１４が大きく形成されているために、カート全体の安定感を向上できる。
【００４５】
また、第１の載置部１２（最上段）の１つ下に配置される第２の載置部１３は、上下方向に沿って見た場合に、第１の載置部１２と形状及びサイズが異なり、第１の載置部１２からはみ出た領域Ｒを有する。このようなはみ出た領域Ｒにおいては、例えば上にある棚（載置部）に邪魔されずに物品をおける。例えば、はみ出た領域Ｒにプッシュ式のシャンプーボトルを置いた場合、上段の棚に邪魔されることなく、プッシュ部を押してシャンプーを取り出すことができる。
【００４６】
また、本実施形態のカート１は、着脱可能な仕切り板１６を備える。仕切り板１６の装着によって、水がかかり難い空間（スペース）を確保することが可能である。すなわち、本実施形態カート１は、水濡れが発生し易い浴室環境においても、濡らしたくない物品について乾いた状態を維持し易く便利である。また、仕切り板１６は、着脱式であるために、状況において使用するか使用しないかを決めることができる。すなわち、カート１は使用者の選択幅が広くなるように設けられており、使用者にとって使い勝手が良い。
【００４７】
また、本実施形態のカート１においては、第３の載置部１４に、傾けるだけで物品の出し入れを行える専用ボックス１７を配置可能になっている。そして、この専用ボックス１７は、垂直に持ち上げることによって、簡単にカート１から取り外すことができる。このために、使用者は、第３の載置部１４についても色々な使い方ができる。専用ボックス１７は、例えばゴミ箱や、濡れた物品を入れる容器等であってもよい。
【００４８】
上述のように、第３の載置部１４には、専用ボックス１７の凸部１７ｂと係合する溝１４１が複数（本実施形態では６つだが適宜変更してよい）設けられており、専用ボックス１７を置く位置や数は適宜変更できる。例えば、第３の載置部１４に専用ボックス１７を２つ置く場合、上述の構成に限らず、図９に示すような配置等としてもよい。なお、図９において、破線で示すボックスは、図６に示す場合と同配置を示すもので、理解を容易とすることを狙って示している。
【００４９】
以上からわかるように、本実施形態のカート１は、様々な形や種類の物品を、使用者の好みで色々な配置とし易く、非常に自由度が高いものと言える。本実施形態のカート１は、例えば介護施設等の浴室で使用するためのカートとして好適であるが、勿論、その他の用途で使用することもできる。
【００５０】
なお、以上に示した実施形態は、本発明の一例にすぎない。以上に示した実施形態の構成は、本発明の技術思想を超えない範囲で適宜変更されて構わない。
【００５１】
例えば、以上に示した実施形態では、支柱１１の数を６本としているが、安定性等を考慮して、その数は適宜変更（増減）されて構わない。
【００５２】
また、以上に示した実施形態では、第２の載置部１３上の空間を複数の空間に仕切った状態と、仕切っていない状態とに切り替え可能な仕切り手段として、着脱可能な仕切り板１６を用いる構成とした。しかし、前述の仕切り手段は、着脱可能な仕切り板１６以外で構成しても構わない。この変形例について、図１０を参照しながら説明する。なお、図１０は、カート１が備える仕切り手段の変形例を説明するための概略断面図である。
【００５３】
図１０に示すように、仕切り手段は、収納部１８に収納されるスクリーン１９で構成されてもよい。図１０（ａ）に示すように、スクリーン１９は、使用する必要がない場合には収納部１８に収納される。なお、収納部１８は、例えば、第２の載置部１３の下面側に取り付けられる。そして、第２の載置部１３には、スクリーン１９を挿通するための貫通孔１３２が形成される。
【００５４】
スクリーン１９が使用される場合には、図１０（ｂ）に示すように、収納部１８からスクリーン１９が引き出される。貫通孔１３２を挿通されたスクリーン１９は、その一端部に設けられるフック部１９ａが第１の載置部１２の適所に引っ掛けられることによって、第２の載置部１３上の空間を仕切った状態となる。使用しない場合には、フック部１９ａが引っ掛けられた状態を解除すればよい。スクリーン１９は、収納部１８に自動で巻き取られる構成が好ましいが、手動で巻き取られる構成であっても構わない。この変形例の構成は、第１の載置部１２を高さ調整可能とする構成に対応し易く便利である。
【００５５】
また、以上に示した実施形態では、専用ボックス１７の形状を直方体形状としたが、この形状は適宜変更されて構わない。例えば、図１１に示すように、専用ボックス１７の形状は三角柱形状等であっても構わない。図１１に示すよう構成では、或る程度の大きさを確保しつつ、第３の載置部１４に一度に載置できる専用ボックス１７の数を多くし易い。図１１においては、６個の専用ボックス１７が載置された状態が示されている。
【００５６】
また、以上に示した実施形態では、第１の載置部１２を平面視四角形状、第２の載置部１３及び第３の載置部１４を平面視六角形状としたが、これは一例に過ぎず、これらの形状は適宜変更されて構わない。例えば、第１の載置部１２と、第２の載置部１３及び第３の載置部１４の形状は、同一形状であっても構わない。また、上下方向に並べられる載置部の数も本実施形態の数（３つ）に限らず、２つや４つ以上であっても構わない。
【符号の説明】
【００５７】
１  カート
１０  キャスター（走行手段）
１１  支柱
１２  第１の載置部
１３  第２の載置部
１４  第３の載置部
１６  仕切り板（仕切り手段）
１７  専用ボックス
１７ｂ  凸部（容器側係合部）
１９  スクリーン（仕切り手段）
１４１  溝（載置部側係合部）
Ｒ  はみ出た領域
【図１】
2014141141.tif 000003
【図２】
2014141141.tif 000004
【図３】
2014141141.tif 000005
【図４】
2014141141.tif 000006
【図５】
2014141141.tif 000007
【図６】
2014141141.tif 000008
【図７】
2014141141.tif 000009
【図８】
2014141141.tif 000010
【図９】
2014141141.tif 000011
【図１０】
2014141141.tif 000012
【図１１】
2014141141.tif 000013